(57)【要約】【課題】  現在、座標入力装置においては、ディスプレイ上のポインタの移動の容易性と座標位置精度の両立が求められる。従来の座標入力装置は、振動の多い環境でポインタを精度よく動かすことができず、使用者に多大な負担をしいていた。【解決手段】  コンピュータ等のディスプレイ上のポインタまたはカーソルをディスプレイ上の任意の位置へ移動させることができる座標入力部と前記座標入力部をその上で動かすことのできる平板部を有する座標入力装置において、座標入力部または、平板部一方に永久磁石、もう一方に磁性体を有する金属等を設けある程度、座標入力部と平板部が磁力により引き合うようにした。【選択図】  図１
2006221243.tif 000002
【特許請求の範囲】
【請求項１】
ディスプレイ上のポインタまたはカーソルを前記ディスプレイ上の任意の位置へ移動させることができる座標入力部と、前記座標入力部をその上で動かすことのできる平板部とを有する座標入力装置において、前記座標入力部および前記平板部のいずれか一方が永久磁石からなり、他方が磁性体からなることを特徴とする座標入力装置。
【請求項２】
ディスプレイ上のポインタまたはカーソルを前記ディスプレイ上の任意の位置へ移動させることができる座標入力部と、前記座標入力部をその上で動かすことのできる平板部とを有する座標入力装置において、座標入力部底部に永久磁石を有することを特徴とする座標入力装置。
【請求項３】
前記座標入力部にある永久磁石の位置が可変であることを特徴とする請求項１または請求項２に記載の座標入力装置。
【請求項４】
前記座標入力部にある永久磁石が脱着可能であることを特徴とする請求項１または請求項２に記載の座標入力装置。
【請求項５】
前記平板部の片方の面に粘着剤が配設されていることを特徴とする請求項１に記載の座標入力装置。
【請求項６】
前記請求項１から５のいずれかに記載の座標入力装置を用いた携帯型コンピュータ。
【発明の詳細な説明】
【技術分野】
【０００１】
本発明は、コンピュータ等のディスプレイ上のポインタまたはカーソルをディスプレイ上の任意の位置へ移動させることができる座標入力部、もしくは座標入力部と平板部等からなる座標入力装置に関するものである。
【背景技術】
【０００２】
従来、マウスなどの座標入力部の操作方法には、座標入力部に設けられているスイッチを押さずにディスプレイ上のポインタを移動させる操作と、スイッチを押したままディスプレイ上のポインタを移動させる操作の２種類があり、前者を自由走行、後者を負荷走行と呼んでいる。
【０００３】
例えば、ディスプレイ上に矩形を描く場合、対角の２点を指定する方法が一般的である。この場合の座標入力部の操作手順を具体的に説明すると、まず、座標入力部を平板部である平板部上で自由走行によって、ディスプレイ上のポインタを所定の位置に移動した後、複数のスイッチのうちのいずれかのスイッチを押して第１の対角点を指定する。
【０００４】
その後、押下したスイッチを開放して、再び自由走行によってポインタを移動させ、最初に押下したスイッチとは別のスイッチを押すことにより、その時のポインタ位置を仮想第２の対角点として線種、線色などによって予め決められた仮想線によって仮想矩形が描かれる。
【０００５】
ここで、オペレータは、後で押下したスイッチを押したままの負荷走行によって仮想矩形が所望の矩形になるようにポインタ位置を修正した後、後で押下したスイッチを開放して第２の対角点を確定する。第２の対角点が確定すると仮想矩形は確定矩形としてディスプレイ上に描かれる（例えば、特許文献１参照）。
【０００６】
ディスプレイ上のポインタの移動は、座標入力部本体の移動によって行われるが、座標入力部の移動可能な領域（操作可能領域）は、いわゆる光学式座標入力部では、平板部上に限られており、この範囲を越える移動操作を行うときは、一旦座標入力部をパッドから持ち上げ、操作面内に戻した後、操作面に降下して移動操作を継続させる必要がある。この操作を追い継ぎ操作と呼んでいる。
【０００７】
また、光学式以外の座標入力部として、いわゆる機械式といわれる座標入力部は、平板部を必要とせず、机上などの平坦な面であれば何所でも使用できるが、机上の他の物品のために操作可能領域が制限されている場合が多く、追い継ぎ操作は座標入力部の方式のいかんにかかわらず発生する。
【０００８】
通常、座標入力部は、第１指と第４、５指で本体を保持して移動操作を行い、スイッチは、第２指から第４指のいずれかを使用して上から下に押しつけて操作するようになっている。
【０００９】
なお、ここでいう光学式座標入力部とは、平板部に刻まれているメッシュの通過数を光学的に読み取り、その移動量を算出する方式の座標入力部を言い、機械式座標入力部とは、内蔵されているボールの回転をロータリーエンコーダによってＸ、Ｙ軸方向に分解し、その増分値を検出する方式の座標入力部を指している。
【特許文献１】特開平７−２９５７４２号公報（第２項〜第５項、第１図）
【発明の開示】
【発明が解決しようとする課題】
【００１０】
現在、座標入力装置においては、ディスプレイ上のポインタの移動の容易性と座標位置精度の両立が求められる。
【００１１】
パーソナル機器の小型化により、座標入力装置も小型化の要求があり、さらに移動中の乗り物等振動の多い環境での使用が多くなってきている。
【００１２】
このため従来の座標入力装置では、振動の多い環境でポインタを精度よく動かすことができず、使用者に多大な負担を強いていた。また、従来の座標入力装置は壁面のような垂直面に設置できなかった。
【００１３】
本発明は、上記の問題を解決し、振動の多い環境でも精度よく、安定して使用できる座標入力装置を提供することを目的とする。
【課題を解決するための手段】
【００１４】
本発明の座標入力装置は、ディスプレイ上のポインタまたはカーソルを前記ディスプレイ上の任意の位置へ移動させることができる座標入力部と、前記座標入力部をその上で動かすことのできる平板部とを有する座標入力装置において、前記座標入力部および前記平板部のいずれか一方が永久磁石からなり、他方が磁性体からなることを特徴とする。
【００１５】
また本発明の座標入力装置は、ディスプレイ上のポインタまたはカーソルを前記ディスプレイ上の任意の位置へ移動させることができる座標入力部と、前記座標入力部をその上で動かすことのできる平板部とを有する座標入力装置において、座標入力部底部に永久磁石を有することを特徴とする。
【００１６】
ディスプレイ上のポインタまたはカーソルをディスプレイ上の任意の位置へ移動させることができる座標入力部と前記座標入力部をその上で動かすことのできる平板部を有する座標入力装置において、座標入力部または、平板部一方に永久磁石、もう一方に磁性体を有する金属等を設けある程度、座標入力部と平板部が磁力により引き合うようにした。
【００１７】
永久磁石は座標入力部側に入れるほうが効果的である。
【００１８】
また、座標入力部の底部に入れた永久磁石を座標入力部の底部に対し垂直に移動できるようにした。さらに、永久磁石部をユニット化し脱着可能とした。
【００１９】
平板部のスペース効率を上げるため、磁性を有する平板部の片方の面に粘着剤を配設した。
【発明の効果】
【００２０】
座標入力部と平板部が磁力により引き合うようにしたことにより、電車等の振動を有する環境においても安定して、座標入力装置を使用することができるようになった。また、最近の座標入力部は小型化になり安定性にかける傾向があるが、本発明を適用することにより、快適な使用が得られる。
【００２１】
永久磁石を座標入力部の底部に入れた場合は、特別な磁性を有する平板部がなくとも、スチール製の机等の上であれば本発明の効果が得られる。
【００２２】
また、座標入力部の底部に入れた永久磁石を座標入力部の底部に対し垂直に移動できるようにすることにより、引き合いの度合いを調整することができる。乗り物等の振動が強い場合は、引き合いの度合いを強くすればよく、さまざまな環境で使用できるようになった。引き合いの度合いをさらに強くすれば、測定装置等の壁面に座標入力装置を設置することができ、測定装置をコンパクトな設計とすることができる。
【００２３】
引き合いの度合いを調整する方法として、永久磁石部をユニット化し脱着可能とすることも有効である。
【００２４】
携帯用のパーソナルコンピュータいわゆるノート型ＰＣで用いる場合は、キーボード右下のスペースに薄型の磁性を有する平板部を接着することが有効である。
【発明を実施するための最良の形態】
【００２５】
コンピュータ等のディスプレイ上のポインタまたはカーソルをディスプレイ上の任意の位置へ移動させることができる座標入力部（座標入力部）と前記座標入力部をその上で動かすことのできる平板部（平板部）を有する座標入力装置において、座標入力部または平板部のいずれか一方に永久磁石、もう一方に磁性体を有する場合、どちらの側に永久磁石をもってきてもよい。
【００２６】
座標入力部の側に用いる永久磁石および磁性体を配設する場合の形状および材質は特に限定するものではない。
【００２７】
材質としては、ＳｍＣｏ、ＮｄＦｅＢ等の希土類磁石、フェライト等を用いることができる。製法としても、焼結、ボンド等の方式で作製することができる。
【００２８】
形状としては、立方体や円柱状のものを複数用いてもよいし、リング状のものを用いてもよい。マグネットシートのような形状にして座標入力部の底面に貼り付けてもよい。
【００２９】
磁性体としても同様の形状を選択できる。材料としては、Ｆｅ、Ｎｉ、Ｃｏ等を含む金属がよい。
【００３０】
座標入力部の側に用いる永久磁石および磁性体を配設する場合の形状はシート状がよい。マグネットシートやＦｅ、Ｎｉ、Ｃｏ等を含む金属の平板を用いることができる。金属板としては塗装を施した鉄の板、ＳＵＳ４３０等のステンレス板が好ましい。
【００３１】
永久磁石は座標入力部側に入れる方が好ましい。座標入力部の底部に入れた場合は、特別な磁性を有する平板部がなくとも、スチール製の机等の上であれば本発明の効果が得られる。
【００３２】
座標入力部側の方が、スペース的な余裕があるため、永久磁石の位置を調整する機構等を組み込みやすい。永久磁石の位置をより底面側に移動することにより、磁性体を有する平板部と強力に引き合わせることができる。永久磁石を反対側に動かすと引き合いは弱くなり、ポインタの動きがスムーズとなる。使用環境の振動を考慮し、調整することができる。
【００３３】
永久磁石を脱着可能とすることにより、強度の違う永久磁石に変更することが可能となる。永久磁石を嫌う装置の近くで用いる場合は取り外すことができる。
【００３４】
平板部をノート型ＰＣや壁面で使う場合は、平板部の片方の面に粘着剤を付けることにより、使用場所に貼り付けることができる。粘着剤は市販の接着剤でもいいし、両面テープのような材質でもよい。
【実施例１】
【００３５】
本名発明の座標入力装置について、図１を用いて説明する。
携帯型コンピュータであるノート型ＰＣ１０３のキーボード１０３１の右下のスペースに本発明の平板部１０２を粘着シートにより貼り付けた。平板部１０２の大きさは９ｃｍ×５ｃｍの大きさで、０．２ｍｍ厚の鉄の板にアクリル塗装を施したものを用いた。
小型の座標入力部１０１の底面に直径３ｍｍ、高さ２ｍｍの円筒形のＳｍＣｏ焼結磁石を４個埋め込んだ。
【００３６】
これにより、座標入力部１０１と平板部１０２が引き合い、使用環境が振動しても、ポインタを正確に動かすことができた。
本発明の携帯型コンピュータを用いて、新幹線内の客席でＡ４サイズのプレゼン資料を作成したところ、３０〜４０％の時間削減効果があった。
【実施例２】
【００３７】
図２に本発明の座標入力装置の座標入力部１０１に位置可変式の永久磁石を取り付けた場合について説明する。
小型の座標入力部１０１の内部にプラスチックでつくったねじ１０１３に、ＮｄＦｅＢボンド磁石からなる磁石１０１１を内蔵した。ねじ１０１３の周りには、内側にねじを切ったリング１０１２を配置した。座標入力部１０１の右側に出たリング１０１２を親指で回すことにより、磁石１０１１の位置を上下することができる。一番下に下げた場合は、鉄製の平板部を垂直にした場合でも使うことができた。磁石１０１１の位置を上下することにより、座標入力部１０１と平板部の引き合いの度合いを調整することがであらゆる振動環境で座標入力装置を使用することができた。
【産業上の利用可能性】
【００３８】
本発明の座標入力装置および座標入力装置を用いた携帯型コンピュータは、使用環境によらず、正確に作業が行える優れた産業製品である。
【図面の簡単な説明】
【００３９】
【図１】本発明の座標入力装置を用いた携帯型コンピュータ斜視図である。
【図２】本発明の座標入力部の側面図である。
【符号の説明】
【００４０】
１０１  座標入力部
１０１１  磁石
１０１２  リング
１０１３  ねじ
１０２  平板部
１０３  ノート型ＰＣ
１０３１  キーボード
１０３２  ディスプレイ
【図１】
2006221243.tif 000003
【図２】
2006221243.tif 000004